(57)【要約】【課題】  外部磁界を利用した磁気ディスクのデータ消去において、より確実に磁気ディスク上の記録データを消去すること【解決手段】  外部消去磁界生成器が生成する外部消去磁界を使用して、磁気ディスク装置内に収容された磁気ディスク上の記録データを消去する方法であって、第１の磁気ディスク装置を、外部消去磁界内においてその種類に応じた移動状態において移動し、その磁気ディスク上に記録されているデータを消去し、前記第１の磁気ディスク装置と種類が異なる第２の磁気ディスク装置を、外部消去磁界内において前記第１の磁気ディスク装置とは異なる移動状態において移動し、その磁気ディスク上に記録されているデータを消去するものである。【選択図】  図２
2007026535.tif 000002
【特許請求の範囲】
【請求項１】
外部消去磁界生成器が生成する外部消去磁界を使用して、磁気ディスク装置内に収容された磁気ディスク上の記録データを消去する方法であって、
第１の磁気ディスク装置を、外部消去磁界内においてその種類に応じた移動状態において移動し、その磁気ディスク上に記録されているデータを消去し、
前記第１の磁気ディスク装置と種類が異なる第２の磁気ディスク装置を、外部消去磁界内において前記第１の磁気ディスク装置とは異なる移動状態において移動し、その磁気ディスク上に記録されているデータを消去する、方法。
【請求項２】
前記第１の磁気ディスク装置は非導体で形成された所定構成部を備え、前記第２の磁気ディスク装置は導体で形成された前記所定構成部を備え、前記第２の磁気ディスク装置を前記第１の磁気ディスク装置よりも遅い速さで前記外部消去磁界内において移動する、請求項１に記載の方法。
【請求項３】
前記所定構成部は前記磁気ディスクの基板である、請求項２に記載の方法。
【請求項４】
前記第１の磁気ディスク装置は強磁性体で形成された筺体を備え、前記第２の磁気ディスク装置は非強磁性体で形成された筺体を備え、
磁気ディスクの記録磁化方向に対して前記外部消去磁界の方向が傾斜した状態において、前記外部消去磁界内で前記第１の磁気ディスク装置を移動し、
磁気ディスクの記録磁化方向に対して前記外部消去磁界の方向が平行な状態において、前記外部消去磁界内で前記第２の磁気ディスク装置を移動する、請求項１に記載の方法。
【請求項５】
前記第１の磁気ディスク装置は、その直径が前記外部消去磁界幅以下である磁気ディスクを備え、前記第２の磁気ディスク装置は、その直径が前記外部消去磁界幅をこえる磁気ディスクを備え、
前記第１の磁気ディスク装置を、その磁気ディスク全体が前記消去磁界内を通るように、一方向に移動し、
前記第２の磁気ディスク装置を、その磁気ディスクの一部が前記消去磁界内を通るように第１の方向に移動し、その後にその第１の方向と交差する方向に移動し、その後にその第１の方向の移動において前記外部消去磁界の外側を通った磁気ディスクの一部が前記消去磁界内を通るように移動する、請求項１に記載の方法。
【請求項６】
前記第１の磁気ディスク装置は非導体で形成された磁気ディスク基板を備え、前記第２の磁気ディスク装置は導体で形成された磁気ディスク基板を備え、前記第２の磁気ディスク装置を前記第１の磁気ディスク装置よりも遅い速さで前記外部消去磁界内において移動する、請求項４に記載の方法。
【請求項７】
外部消去磁界生成器が生成する外部消去磁界を使用して、磁気ディスク装置内に収容された磁気ディスク上の記録データを消去する方法であって、
磁気ディスクの記録磁化方向に対して外部消去磁界の方向が傾斜するように磁気ディスク装置を保持し、
前記磁気ディスクの記録磁化方向に対して前記外部消去磁界の方向が傾斜した状態で、外部消去磁界内で前記磁気ディスク装置を移動し、その磁気ディスク上に記録されているデータを消去する、方法。
【請求項８】
前記外部消去磁界方向に沿った面内において前記磁気ディスク装置を移動して、前記磁気ディスクに記録されているデータを消去する、請求項７に記載の方法。
【請求項９】
強磁性体で形成された筺体を備える磁気ディスク装置を、その磁気ディスクの記録磁化方向に対して前記外部消去磁界の方向が傾斜した状態で、前記外部消去磁界内で移動し、
非強磁性体で形成された筺体を備える磁気ディスク装置を、その磁気ディスクの記録磁化方向が前記外部消去磁界の方向と平行である状態で、前記外部消去磁界内で移動する、請求項７に記載の方法。
【請求項１０】
外部消去磁界を使用して磁気ディスク装置内に収容されている磁気ディスク上の記録データを消去する、データ消去装置であって、
外部消去磁界を生成する外部消去磁界生成器と、
磁気ディスク装置を保持し前記外部消去磁界内で移動する保持移動機構と、
データ消去される磁気ディスクの種類に応じた条件において前記保持移動機構を操作するコントローラと、
を備えるデータ消去装置。
【請求項１１】
前記コントローラは、前記保持移動機構を、非導体で形成された磁気ディスクを備える磁気ディスク装置よりも、導体で形成された磁気ディスクを有する磁気ディスク装置を、より遅い速度で前記外部消去磁界内において移動するように制御する、請求項１０に記載のデータ消去装置。
【請求項１２】
前記保持移動機構は、強磁性体筺体を備える磁気ディスク装置をその磁気ディスクの記録面に対して前記外部消去磁界の方向が傾斜するように保持し、前記磁気ディスクの記録面に対して前記外部消去磁界の方向が傾斜した状態で、外部消去磁界内で前記磁気ディスク装置を移動する、請求項１０に記載のデータ消去装置。
【請求項１３】
前記移動機構は、その磁気ディスク直径が前記外部消去磁界幅以下である磁気ディスク装置を、その磁気ディスク全体が前記消去磁界内を通るように、一方向に移動し、
その磁気ディスク直径が前記外部消去磁界幅をこえる磁気ディスク装置を、その磁気ディスクの一部が消去磁界内を通るように第１の方向に移動し、その後にその第１の方向と交差する方向に移動し、その後にその第１の方向の移動において前記外部消去磁界の外側を通った磁気ディスクの一部が前記消去磁界内を通るようにその第１の方向の反対方向に移動する、
請求項１０に記載のデータ消去装置。
【請求項１４】
前記コントローラは、前記保持移動機構を、非導体で形成された磁気ディスクを備える磁気ディスク装置よりも、導体で形成された磁気ディスクを有する磁気ディスク装置を、より遅い速度で前記外部消去磁界内において移動するように制御する、請求項１２に記載のデータ消去装置。
【発明の詳細な説明】
【技術分野】
【０００１】
本発明は、磁気ディスクに記録されたデータの消去装置及び消去方法に関し、特に、外部磁界を使用した磁気ディスクのデータ消去に関する。
【背景技術】
【０００２】
典型的なハード・ディスク・ドライブ（ＨＤＤ）は、磁気ディスクと、磁気ディスクを回転駆動するためのスピンドル・モータと、磁気ディスクに対してデータの書き込み、読み取りを実行するための磁気ヘッド等を備える。ＨＤＤは、構成部品を収容するエンクロージャケースを備えている。エンクロージャケースは、一般に、開口部を有する箱型のベースと、ベースの開口部を覆う板状のトップ・カバーとから構成される。
【０００３】
ディスク装置は、構成部品をベース内に組み付けた後に、トップ・カバーでベースの開口部を覆って組み付けが終了する。組み付けが終了した後に、磁気ディスクにサーボ・パターンを書き込む。サーボ・パターンの書き込みが終了したＨＤＤは、製品出荷のための種々のテストに供される。不良品と認定された場合、不良に関係ない部品についてはＨＤＤを解体した後に回収して、再利用される。磁気ディスクを再利用する場合には、新たな製品として書き込まれるサーボ・パターンとの干渉を防止するために、既に書き込まれたサーボ・パターンを消去する必要がある。また、サーボ・パターンの書き込み自体が不良と認定された場合にも、サーボ・パターンの消去が必要となる。さらに、製品出荷のためのテストにおいてもテスト・データが書き込まれており、不良品となったディスク装置については、そのテスト・データの消去も必要となる。
【０００４】
また、近年、故障等により廃棄されるＨＤＤについても、データの消去が重要となっている。例えば、上記のスピンドル・モータや磁気ヘッドが故障した場合、通常の操作により当該ＨＤＤに記憶された情報を読み出すことはできず、故障となる。しかしながら、磁気ディスクには依然情報が記録されており、然るべき装置や方法を用いることによって、当該磁気ディスクに記録された情報を読み出すことができる。従って、故障したＨＤＤをそのまま廃棄することは、情報保護の観点から好ましくなく、磁気ディスクに記録された情報を完全に消去してから廃棄することが好ましい。
【０００５】
この様な課題の解決方法として、従来は廃棄対象であるＨＤＤを物理的に破壊することにより、当該ＨＤＤに含まれる磁気ディスクに記憶された情報を読み出し不可能とする方法があった。しかしながら、部品のリサイクルや分別廃棄の点から、ＨＤＤの破壊廃棄は好ましくない。また、磁気ディスクのみを破壊する場合、筐体から磁気ディスクを取り出す必要があり、大量のＨＤＤのデータ消去を行う場合は効率が悪い。
【０００６】
磁気ディスクのデータ消去に関して、磁気ディスクがＨＤＤに装着された状態でもデータ消去が可能な装置が特許文献１に開示されている。装置は、互いに吸着し合う極性となるように隣接配置されている２つの上部永久磁石と、互いに吸着し合う極性となるように隣接配置されている２つの下部永久磁石を備える。また、鉛直方向に対向する永久磁石の各対向面は、互いに同一の極性を示している。
【０００７】
磁界内において磁気ディスクを回転することによって、磁気ディスクの全面に平行な磁界が作用することによりデータの消去が行われる。永久磁石による外部磁界によって、磁気ディスクのデータ消去を迅速に行うことができる。しかし、この手法は、磁気ディスクを回転させるための装置が必要とされる。また、データ消去対象であるＨＤＤのスピンドル・モータが故障中の場合、磁気ディスクを回転させることができない。ＨＤＤのスピンドル・モータを用いず、データ消去装置用の回転機構を用いて磁気ディスクを回転させる場合は、ＨＤＤのトップ・カバーを取り外す工程や、ＨＤＤから磁気ディスクを取り外す工程等、工程数の増加につながり上述したように効率が悪い。
【０００８】
特許文献２においては、磁気ディスクを回転させることなく、そこに記憶されたデータを消去する装置が開示されている。当該装置は、ＨＤＤをデータ消去用の永久磁石に対して相対的に移動させるものであり、永久磁石の上を少なくともＨＤＤの磁気ディスクの全面が通過するように動かすことによってデータを消去する。
【特許文献１】国際公開ＷＯ９８/４９６７４号公報
【特許文献２】特開２００４−１１０９０８号公報
【発明の開示】
【発明が解決しようとする課題】
【０００９】
磁気ディスクに記録されたデータを消去するためには、磁気ディスクの保磁力以上の磁界を磁気ディスクに作用させる必要がある。近時、磁気ディスクの記録密度の向上は著しく、それに伴って磁気ディスクの保磁力も増大している。したがって、磁気ディスクに記録されたデータを消去するためにはそれに応じた強度の磁界が必要となる。
【００１０】
また、近時、ＨＤＤの種類、材料等が多様化しているため、消去対象であるＨＤＤによって、データ消去の際の最適な条件が異なる場合がある。従って、一様な操作条件によってデータの消去を実施すると、データが完全に消去されないことや、処理時間の不要な増加を招くことが考えられる。
【００１１】
本発明は上記事情を背景としてなされたものであって、外部磁界を利用した磁気ディスクのデータ消去において、より確実に磁気ディスク上の記録データを消去することを目的とする。
【課題を解決するための手段】
【００１２】
本発明の第１の態様は、外部消去磁界生成器が生成する外部消去磁界を使用して、磁気ディスク装置内に収容された磁気ディスク上の記録データを消去する方法であって、第１の磁気ディスク装置を、外部消去磁界内においてその種類に応じた移動状態において移動し、その磁気ディスク上に記録されているデータを消去し、前記第１の磁気ディスク装置と種類が異なる第２の磁気ディスク装置を、外部消去磁界内において前記第１の磁気ディスク装置とは異なる移動状態において移動し、その磁気ディスク上に記録されているデータを消去するものである。消去対象であるＨＤＤの種類に応じて外部消去磁界内でのＨＤＤの移動状態を変更することにより、より確実に磁気ディスク上の記録データを消去することができる。
【００１３】
前記第１の磁気ディスク装置は非導体で形成された所定構成部を備え、前記第２の磁気ディスク装置は導体で形成された前記所定構成部を備え、前記第２の磁気ディスク装置を前記第１の磁気ディスク装置よりも遅い速さで前記外部消去磁界内において移動することが好ましい。これにより、外部消去磁界内での渦電流の発生を低減し、磁気ディスク上のデータ消去をより確実に行うことができる。ここで、前記所定構成部は前記磁気ディスクの基板とすることができる。
【００１４】
前記第１の磁気ディスク装置は強磁性体で形成された筺体を備え、前記第２の磁気ディスク装置は非強磁性体で形成された筺体を備え、磁気ディスクの記録磁化方向に対して前記外部消去磁界の方向が傾斜した状態において、前記外部消去磁界内で前記第１の磁気ディスク装置を移動し、磁気ディスクの記録磁化方向に対して前記外部消去磁界の方向が平行な状態において、前記外部消去磁界内で前記第２の磁気ディスク装置を移動することが好ましい。これにより、外部消去磁界の磁気ディスクに対する作用効率を向上することができる。
【００１５】
前記第１の磁気ディスク装置は、その直径が前記外部消去磁界幅以下である磁気ディスクを備え、前記第２の磁気ディスク装置は、その直径が前記外部消去磁界幅をこえる磁気ディスクを備え、前記第１の磁気ディスク装置を、その磁気ディスク全体が前記消去磁界内を通るように、一方向に移動し、前記第２の磁気ディスク装置を、その磁気ディスクの一部が前記消去磁界内を通るように第１の方向に移動し、その後にその第１の方向と交差する方向に移動し、その後にその第１の方向の移動において前記外部消去磁界の外側を通った磁気ディスクの一部が前記消去磁界内を通るように移動することが好ましい。これにより、磁気ディスクの全面に外部消去磁界を通過させることができる。
【００１６】
前記第１の磁気ディスク装置は非導体で形成された磁気ディスク基板を備え、前記第２の磁気ディスク装置は導体で形成された磁気ディスク基板を備え、前記第２の磁気ディスク装置を前記第１の磁気ディスク装置よりも遅い速さで前記外部消去磁界内において移動することが好ましい。これにより、外部消去磁界内での渦電流の発生を低減し、磁気ディスク上のデータ消去をより確実に行うことができる。
【００１７】
本発明の第２の態様は、外部消去磁界生成器が生成する外部消去磁界を使用して、磁気ディスク装置内に収容された磁気ディスク上の記録データを消去する方法であって、磁気ディスクの記録磁化方向に対して外部消去磁界の方向が傾斜するように磁気ディスク装置を保持し、前記磁気ディスクの記録磁化方向に対して前記外部消去磁界の方向が傾斜した状態で、外部消去磁界内で前記磁気ディスク装置を移動し、その磁気ディスク上に記録されているデータを消去するものである。これにより、外部消去磁界の磁気ディスクに対する作用効率を向上し、より確実に磁気ディスク上の記録データを消去することができる。
【００１８】
前記外部消去磁界方向に沿った面内において前記磁気ディスク装置を移動して、前記磁気ディスクに記録されているデータを消去することが好ましい。これにより、より確実に磁気ディスクに対して外部消去磁界を作用させることができる。
【００１９】
強磁性体で形成された筺体を備える磁気ディスク装置を、その磁気ディスクの記録磁化方向に対して前記外部消去磁界の方向が傾斜した状態で、前記外部消去磁界内で移動し、非強磁性体で形成された筺体を備える磁気ディスク装置を、その磁気ディスクの記録磁化方向が前記外部消去磁界の方向と平行である状態で、前記外部消去磁界内で移動することが好ましい。外部消去磁界の磁気ディスクに対する作用効率を向上することによって、強磁性体の筐体によって磁界が妨げられる場合でも、確実に磁気ディスク上の記録データを消去することができる。
【００２０】
本発明の第３の態様は、外部消去磁界を使用して磁気ディスク装置内に収容されている磁気ディスク上の記録データを消去する、データ消去装置であって、外部消去磁界を生成する外部消去磁界生成器と、磁気ディスク装置を保持し前記外部消去磁界内で移動する保持移動機構と、データ消去される磁気ディスクの種類に応じた条件において前記保持移動機構を操作するコントローラと、を備えるものである。消去対象であるＨＤＤの種類に応じて外部消去磁界内でのＨＤＤの移動状態を変更することにより、より確実に磁気ディスク上の記録データを消去することができる。
【００２１】
前記コントローラは、前記保持移動機構を、非導体で形成された磁気ディスクを備える磁気ディスク装置よりも、導体で形成された磁気ディスクを有する磁気ディスク装置を、より遅い速度で前記外部消去磁界内において移動するように制御することが好ましい。これにより、外部消去磁界内での渦電流の発生を低減し、磁気ディスク上のデータ消去をより確実に行うことができる。
【００２２】
前記保持移動機構は、強磁性体筺体を備える磁気ディスク装置をその磁気ディスクの記録面に対して前記外部消去磁界の方向が傾斜するように保持し、前記磁気ディスクの記録面に対して前記外部消去磁界の方向が傾斜した状態で、外部消去磁界内で前記磁気ディスク装置を移動することが好ましい。これにより、外部消去磁界の磁気ディスクに対する作用効率を向上することができる。
【００２３】
前記移動機構は、その磁気ディスク直径が前記外部消去磁界幅以下である磁気ディスク装置を、その磁気ディスク全体が前記消去磁界内を通るように、一方向に移動し、その磁気ディスク直径が前記外部消去磁界幅をこえる磁気ディスク装置を、その磁気ディスクの一部が消去磁界内を通るように第１の方向に移動し、その後にその第１の方向と交差する方向に移動し、その後にその第１の方向の移動において前記外部消去磁界の外側を通った磁気ディスクの一部が前記消去磁界内を通るようにその第１の方向の反対方向に移動することが好ましい。これにより、磁気ディスクの全面に外部消去磁界を通過させることができる。
【００２４】
前記コントローラは、前記保持移動機構を、非導体で形成された磁気ディスクを備える磁気ディスク装置よりも、導体で形成された磁気ディスクを有する磁気ディスク装置を、より遅い速度で前記外部消去磁界内において移動するように制御する、請求項１２に記載のデータ消去装置。これにより、外部消去磁界内での渦電流の発生を低減し、磁気ディスク上のデータ消去をより確実に行うことができる。
【発明の効果】
【００２５】
本発明によれば、外部磁界を利用した磁気ディスクのデータ消去において、より確実に磁気ディスク上の記録データを消去することができる。
【発明を実施するための最良の形態】
【００２６】
以下に、本発明を適用可能な実施の形態を説明する。説明の明確化のため以下の記載及び図面は、適宜、省略及び簡略化がなされている。又、各図面において、同一要素には同一の符号が付されており、必要に応じて重複説明は省略されている。図１は、本実施形態におけるデータ消去装置１の全体を示す斜視図である。データ消去装置１は機能部１００とベース・フレーム２００とを備える。
【００２７】
図２はデータ消去装置１の機能部１００を拡大した斜視図である。機能部１００は、磁気ディスク装置（以下においてＨＤＤ）の記録データを消去するための外部消去磁界を生成する外部消去磁界生成器の一例である磁気回路１０１を備える。磁気回路１０１により磁界生成空間１０２内に磁界が生成される。機能部１００は、さらに、コントローラ１０３、データ消去対象であるＨＤＤ３００を載置、固定するＨＤＤ固定部１０４、ＨＤＤ固定部１０４を図中のＸ軸方向、Ｙ軸方向にそれぞれ動かすＸ軸可動部１０５及びＹ軸可動部１０６を有する。ＨＤＤ固定部１０４は、図のＸ軸方向において回動可能となっている。なお、以下の説明では、ＨＤＤ３００は水平磁気記録の磁気ディスクを備えているものとする。
【００２８】
コントローラ１０３は、入力された情報に基づいてＨＤＤ固定部１０４、Ｘ軸可動部１０５及びＹ軸可動部１０６を駆動する。更に、コントローラ１０３は、データ消去装置１を稼動するために必要な情報や、データを消去したＨＤＤのシリアルナンバー等を記憶している。データ消去装置１の稼動に必要となるのは電源のみあり、電源さえあれば場所を選ばずに使用することができる。
【００２９】
機能部１００の各部について、更に詳細に説明する。図３は、磁気回路１０１の詳細を示す斜視図である。図に示すように、磁気回路１０１は上部筐体１０７、下部筐体１０８及び上部筐体１０７と下部筐体１０８とを間隔を開けて一端で固定する連結部１０９を有し、上部筐体１０７と下部筐体１０８とで挟まれる空間が磁界生成空間１０２となる。即ち、磁気回路１０１はコの字型の側面を形成し、コの字の内部に磁界生成空間１０２を形成する。
【００３０】
上部筐体１０７及び下部筐体１０８は、その内部に永久磁石１１０を有する直方体もしくは立方体である。また、連結部１０９は板状もしくは直方体形状の部材である。上部筐体１０７と下部筐体１０８とはそれぞれの一面が平行に対向するように配置されている。上部筐体１０７、下部筐体１０８及び連結部１０９によって囲まれる空間が磁界生成空間１０２となる。当該磁界の磁力によって、ＨＤＤ３００に記憶されているデータを消去する。永久磁石１１０は、上部筐体１０７及び下部筐体１０８の内部にそれぞれ２つ１組で配置されている。上部筐体１０７内部には永久磁石１１０ａ、１１０ｂが、下部筐体１０８内部には永久磁石１１０ｃ、１１０ｄがそれぞれ配置されている。
【００３１】
永久磁石１１０ａと永久磁石１１０ｂとは、上部筐体１０７内部において、磁気回路１０１のコの字型側面の一方側から他方側へ向かう方向に連結されて配置されている。即ち、連結部１０９の面と平行であって、上部筐体１０７と磁界生成空間１０２とが対向する面に平行な方向に連結されている。同様に、永久磁石１１０ｃと永久磁石１１０ｄとは、下部筐体１０８内部において、磁気回路１０１のコの字型側面の一方側から他方側へ向かう方向に連結されて配置されている。従って、永久磁石１１０ａと永久磁石１１０ｃとは磁界生成空間１０２を挟んで対向する。また、永久磁石１１０ｂと永久磁石１１０ｄとは磁界生成空間１０２を挟んで対向する。
【００３２】
１組の永久磁石１１０は互いに吸着し合うように隣接配置されている。より詳細には、永久磁石１１０ａのＮ極と永久磁石１１０ｂのＳ極とが同一方向を向くように配置されている。同様に、永久磁石１１０ｃのＮ極と永久磁石１１０ｄのＳ極とが同一方向を向くように配置されている。これにより、１組の永久磁石１１０の近傍においては、一方の永久磁石１１０のＮ極から他方の永久磁石１１０のＳ極へ向かう磁界が形成される。
【００３３】
更に、上部筐体１０７に含まれる永久磁石１１０と下部筐体１０８に含まれる永久磁石１１０とは、同一の極性が対向するように配置される。即ち、永久磁石１１０ａと永久磁石１１０ｃとは磁界生成空間１０２を挟んで同極が対向し、永久磁石１１０ｂと永久磁石１１０ｄとは磁界生成空間１０２を挟んで同極が対向する。図３に示すように、本実施形態においては永久磁石１１０ａのＮ極と永久磁石１１０ｃのＮ極とが磁界生成空間１０２を挟んで対向している。同様に永久磁石１１０ｂのＳ極と永久磁石１１０ｄのＳ極とが磁界生成空間１０２を挟んで対向している。
【００３４】
永久磁石１１０を上記のように配置することにより、磁界生成空間１０２には図３に示す矢印Ａの向きに磁場が形成される。即ち、永久磁石１１０ａのＮ極から出て永久磁石１１０ｂのＳ極へ入る磁界と、永久磁石１１０ｃのＮ極から出て永久磁石１１０ｄのＳ極へ入る磁界とが磁界生成空間１０２に形成される。
【００３５】
消去磁界が生成される消去可能領域Ｂの範囲は、永久磁石１１０ａ、ｂと永久磁石１１０ｃ、ｄとの中間地点近傍であって、磁界生成空間１０２における永久磁石１１０ａと永久磁石１１０ｂとの中間地点近傍、及び永久磁石１１０ｃと永久磁石１１０ｄとの中間地点近傍である。従って、消去可能領域Ｂの範囲は、連結部１０９の磁界生成空間１０２に露出した面に垂直な方向に長寸な範囲となる（図５を参照）。磁界生成空間１０２において、消去可能領域Ｂの磁界の強度は、データ消去対象である磁気ディスクの保持力以上である。当該消去可能領域Ｂにおいては、連結部１０９、上部筐体１０７及び下部筐体１０８の磁界生成空間１０２に露出した各面に平行な方向に磁界が形成されている。
【００３６】
ここで、上部筐体１０７と下部筐体１０８とが対抗する各面と平行な面において、連結部１０９と磁界生成空間１０２とが対向する面に垂直な方向をＹ軸、連結部１０９と磁界生成空間１０２とが対向する面に平行な方向をＸ軸である。換言すると、上部筐体１０７又は下部筐体１０８内において、１組の永久磁石１１０が連結されている方向がＸ軸、永久磁石１１０の磁極面と平行な面においてＸ軸と直交する軸がＹ軸である。
【００３７】
コントローラ１０３は、オペレータから入力された情報に基づき、ＨＤＤ固定部１０４、Ｘ軸可動部１０５及びＹ軸可動部１０６を駆動する。また、コントローラ１０３は、オペレータが情報を入力するインターフェースを備える。コントローラ１０３に入力される情報としては、磁気ディスクの素材、ＨＤＤの筐体の素材及びＨＤＤのディスク・サイズ等、ＨＤＤ３００に関する情報がある。また、コントローラ１０３は情報を記憶するメモリを備える。
【００３８】
更に、コントローラ１０３は、バーコード読み取り機能を有する。ＨＤＤ３００に貼付されたバーコードから読み取られた情報を記憶することによって、データの消去処理を行ったＨＤＤ３００を記憶する。読み取る情報としては、例えば、ＨＤＤ３００のシリアルナンバーが挙げられる。この他、オペレータがコントローラ１０３を通じて、ＨＤＤ固定部１０４、Ｘ軸可動部１０５及びＹ軸可動部１０６を操作することも可能である。
【００３９】
ＨＤＤ固定部１０４はＨＤＤ３００を固定する固定台であり、ＨＤＤ３００が載置される固定板（不図示）と、ＨＤＤ３００を保持する固定具（不図示）とを有する。ＨＤＤ固定部１０４は様々なサイズのＨＤＤを固定可能である。データ消去対象であるＨＤＤ３００は、ボイス・コイル・モータ、スピンドル・モータのなどの強磁性体あるいは磁石を含む。従って、磁界生成空間１０２内で、磁界により引力又は斥力を受ける。ＨＤＤ固定部１０４は、ＨＤＤ３００に加わるこれらの力により、固定中のＨＤＤ３００がＨＤＤ固定部１０４から外れない程度の強度でＨＤＤ３００を保持する。また、データ消去用磁界への影響を考慮し、ＨＤＤ固定部１０４は非強磁性体且つ非金属で形成されている。
【００４０】
ＨＤＤ固定部１０４は、その固定板に対して水平にＨＤＤ３００を保持する。従って、磁界生成空間１０２の消去可能領域Ｂにおける磁界の向きと、磁気ディスクの記録面が平行となる。典型的な水平磁気記録のＨＤＤにおいては、その記録磁化方向と磁界の向きが平行となる。この状態においてＨＤＤ３００を磁界生成空間１０２内で移動し、磁気ディスクに外部消去磁界を作用させる。これによりＨＤＤ３００に記憶されたデータを消去する。
【００４１】
ＨＤＤ固定部１０４は、自身に固定されたＨＤＤ３００をＸ軸方向に傾ける機能を有している。これにより、固定されたＨＤＤ３００並びにＨＤＤ３００に含まれる磁気ディスクと消去可能領域Ｂにおける磁界との交わる角度が変化する。当該機能はコントローラ１０３により制御される。当該機能の詳細については後述する。ＨＤＤ固定部１０４は、上部筐体１０７及び下部筐体１０８の互いの対向面と平行な面内において移動可能である。Ｘ軸可動部１０５及びＹ軸可動部１０６は、それぞれ駆動力を得るための駆動部と、強度維持のためのガイドとを有する。
【００４２】
Ｘ軸可動部１０５及びＹ軸可動部１０６は、図４に示すようにＨＤＤ３００を磁界生成空間１０２に挿入される。即ち、ＨＤＤ固定部１０４上に固定されたＨＤＤ３００が上部筐体１０７と下部筐体１０８との間に位置する。この後、コントローラ１０３が、ＨＤＤ固定部１０４を消去可能領域Ｂ内で移動することで、その外部消去磁界を用いてＨＤＤ３００内部に収容された磁気ディスク上に記録されたデータを消去する。
【００４３】
次に、本実施形態に係るデータ消去装置の具体的な動作について説明する。本発明に係るデータ消去装置１は、磁界生成空間１０２に発生する消去可能領域Ｂの消去磁界を用いて、ＨＤＤ３００に記憶されたデータを消去するものである。ここで、ＨＤＤ３００の磁気ディスクや筐体の素材によって磁界の伝わり方に変化が生じることが考えられる。また、ＨＤＤ３００のサイズによっては、磁気ディスクの全面に亘って消去可能領域Ｂを通過させるため、磁界生成空間１０２（消去可能領域Ｂ）におけるＨＤＤ３００の移動経路を工夫する必要がある。
【００４４】
コントローラ１０３は、ＨＤＤ３００の種類に応じたデータ消去装置１の動作条件を予め記憶している。ＨＤＤ３００のデータ消去を行う際、コントローラ１０３に消去対象であるＨＤＤ３００の種類特定情報を入力する。具体的には、そのディスク・サイズ、筐体の素材及び磁気ディスクの素材等を入力する。入力された情報に基づいて、コントローラ１０３がＨＤＤ３００の種類に応じた移動状態を決定し、この決定に従ってＨＤＤ３００を移動することによって、効率的で確実なＨＤＤ３００のデータ消去を行うことができる。
【００４５】
まず、ＨＤＤ３００のディスク・サイズに伴う動作条件（移動経路）の変化について説明する。現在、市場に流通しているＨＤＤには主に３．５インチ・タイプ、２．５インチ・タイプ、１．８インチ・タイプ及び１インチ・タイプがある。はじめに、図５を用いて、３．５インチ・タイプの例を説明する。図５は磁気回路１０１にＨＤＤ３００が挿入された状態を示す上面図である。図５においては、表示の明確化のため、上部筐体１０７及びＨＤＤ固定部１０４を省略して図示している。磁気回路１０１中の消去可能領域Ｂの長寸は、消去対象であるＨＤＤ３００に含まれる磁気ディスク３０１の直径よりも小さい。
【００４６】
ＨＤＤ固定部１０４に固定されたＨＤＤ３００を磁界生成空間１０２に挿入する際には、図５（ａ）に示す通り、磁気ディスク３０１が連結部１０９側に位置する向きに挿入する。ＨＤＤ固定部１０４は、接触しない程度に連結部１０９に近づける。この時、少なくとも磁気ディスク３０１における連結部１０９とは反対側の半円がＹ軸方向における消去可能領域Ｂの範囲に含まれる。即ち、消去可能領域Ｂの長寸は、磁気ディスク３０１の半径以上である。
【００４７】
この状態においてコントローラ１０３がＸ軸可動部１０５を駆動し、図５（ａ）に示す白矢印の方向、つまり、消去可能領域Ｂの磁界方向と平行な方向においてＨＤＤ３００を動かす。このように、磁界生成空間１０２中を、磁気回路１０１のコの字型の側面の一方から他方へ向かって移動させる時、少なくとも磁気ディスク３０１の図中下半分、即ち連結部１０９とは反対側の半円が消去可能領域Ｂを通過する。これにより、少なくとも磁気ディスク３０１において消去可能領域Ｂを通過した部分に記憶されたデータが消去される。
【００４８】
詳述すると、磁気ディスク３０１が消去可能領域Ｂを通過すると、磁気ディスク３０１の磁性層に対して図中に示す黒矢印の方向の磁界が加わる。即ち、磁気ディスク３０１の磁性層に対して、磁気ディスク３０１の記録面と平行な方向に、消去可能領域Ｂの磁界が加わる。これにより、磁気ディスク３０１の磁性層の磁化を図中に示す矢印の方向、即ち消去可能領域Ｂにおける磁界の方向へ揃える事ができる。
【００４９】
次に、図５（ｂ）に示す通り、Ｙ軸可動部１０６を駆動することにより、ＨＤＤ３００を連結部１０９から遠ざかる方向へ移動する。これにより、磁気ディスク３０１において消去可能領域Ｂの外側を通過した部分、即ち、磁気ディスク３０１における連結部１０９側の半円が、Ｙ軸方向において、消去可能領域Ｂの範囲に入る位置に配置される。
【００５０】
この状態において、図５（ｃ）に示す通り、Ｘ軸可動部１０５を駆動することにより、図中の白矢印の方向にＨＤＤ３００を動かす。即ち、図５（ａ）とは反対方向に、磁気回路１０１のコの字型側面の一方から他方へ向かってＨＤＤ固定部１０４を動かす。これにより、図５（ａ）の工程において消去可能領域Ｂを通過していない磁気ディスク３０１の部分が消去可能領域Ｂを通過し、当該部分に記憶されているデータが消去される。
【００５１】
最後に、図５（ｄ）に示される通り、Ｙ軸可動部１０６を駆動することにより、連結部１０９から遠ざかる方向にＨＤＤ固定部１０４を動かし、磁界生成空間１０２からＨＤＤ３００を抜き出す。このように、ＨＤＤ３００に含まれる磁気ディスク３０１の直径が、消去可能領域Ｂの長寸をこえる場合、往路と復路の間にＹ軸可動部１０６を駆動し、消去可能領域Ｂに対する磁気ディスク３０１の位置を動かすことによって、磁気ディスク３０１の全面が消去可能領域Ｂを通過するように移動する。これによって、ＨＤＤ３００のスピンドル・モータを駆動して磁気ディスク３０１を回転させることなく、磁気ディスク３０１に記憶された全データを消去することができる。
【００５２】
次に、２．５インチ・タイプ以下の例を説明する。図６においては、２．５インチ・タイプのＨＤＤを例として図示する。図の例において、２．５インチ・タイプのＨＤＤに含まれる磁気ディスク３０１の直径は、消去可能領域ＢのＹ軸方向の幅以下である。つまり、磁気ディスク３０１の直径は、消去可能領域Ｂの長寸よりも短い。従って、このような場合は、図５に示すようにＨＤＤ３００の往路と復路の間にＹ軸可動部１０６を駆動する必要はない。
【００５３】
具体的には、図６（ａ）示すように、Ｘ軸可動部１０５及びＹ軸可動部１０６を駆動して磁気ディスク３０１が、Ｙ軸方向において、消去可能領域Ｂの範囲に入るようにＨＤＤ３００を配置する。この状態において、Ｘ軸可動部１０６を駆動して図中の白矢印に示すように、図中右から左へＨＤＤ３００を移動させる。即ち、磁界生成空間１０２中を、磁気回路１０１のコの字型の側面の一方から他方へ向かって移動させる。
【００５４】
この時、磁気ディスク３０１の全面が消去可能領域Ｂを通過する。これにより、磁気ディスク３０１に記憶されたデータが消去される。次に、再度Ｘ軸可動部１０５を駆動して、図６（ｂ）の白矢印が示すように、図中左から右へＨＤＤ３００を移動させる。これにより、より確実に磁気ディスク３０１に記憶されたデータが消去される。１．８インチ・タイプ及び１インチ・タイプのＨＤＤにおいても、図６に示す通り、磁気ディスク３０１が消去可能領域Ｂを通過するようにＨＤＤ３００を往復させることにより、上記と同様に記憶されたデータを消去することができる。なお、ＨＤＤ３００が消去可能領域Ｂを１回のみ通過する態様とすることもできる。
【００５５】
尚、図５及び図６に示すＨＤＤ３００のデータ消去時の移動の態様については、データ消去対象であるＨＤＤ３００と、磁気回路１０１及び消去可能領域Ｂとの相対的な大きさにより決定されるものである。即ち、図５に示す態様は、磁気ディスク３０１の直径が消去可能領域Ｂの長寸（移動方向に対して垂直方向の長さ）よりも大きい場合の例であり、図６に示す態様は、磁気ディスク３０１の直径が消去可能領域Ｂの長寸よりも小さい場合の例である。
【００５６】
例えば磁気ディスク３０１の直径が、消去可能領域Ｂの長寸の倍以上３倍以下の大きさである場合、磁気ディスク３０１の全面が消去可能領域Ｂを通過するためには、磁気ディスク３０１の面を３つの範囲に分割し、ＨＤＤ固定部１０４の磁界生成空間１０２中の往路と復路、及び再度の往路で磁気ディスク３０１面のそれぞれの範囲が消去可能領域Ｂを通過するように駆動する。同様に、磁気ディスク３０１の直径が、消去可能領域Ｂの長寸の３倍以上の大きさであっても良く、この場合にはＨＤＤ固定部１０４を磁界生成空間１０２中で２往復以上駆動し、磁気ディスク３０１の全面が消去可能領域Ｂを通過するよう駆動すれば良い。
【００５７】
ここで、図５（ａ）に示すように、磁気ディスク３０１が連結部１０９側に位置するように配置し、ＨＤＤ固定部１０４及びＨＤＤ３００を連結部１０９に最も近づけた状態において、磁気ディスク３０１の円周上における連結部１０９から最も遠い点と連結部１０９との間隔が、連結部１０９から遠い側の消去可能領域Ｂの端部と連結部１０９との間隔よりも狭いことが好ましい。上記の条件が満たされない場合、磁気ディスク３０１を回転させるか、ＨＤＤ３００を回転させなければ、磁気ディスク３０１の全面が消去可能領域Ｂを通過するように駆動することができないからである。
【００５８】
次に、ＨＤＤ３００に含まれる磁気ディスク３０１の素材の相違に伴う、ＨＤＤ３００の移動状態の変化について説明する。現在、磁気ディスクの素材には、例えばガラス基板又はアルミ基板等の非磁性導体（非強磁性体）が用いられている。ここで、磁場中を非磁性金属が通過すると渦電流が発生し磁界が乱れる。従って、消去可能領域Ｂにおける消去磁界も影響を受け、磁気ディスク３０１へ作用する磁力が弱くなる。これにより、磁気ディスク３０１に記録されたデータが確実に消去されないことが起こり得る。
【００５９】
これに対処するため、磁気ディスク３０１の基材に応じて、磁界生成空間１０２（消去可能領域Ｂ）におけるＨＤＤ３００の移動スピードを変化させる。当該制御はコントローラ１０３が自身に入力された磁気ディスク３０１の素材に関する情報及び予め記憶された磁気ディスク３０１の素材による移動状態の情報に基づいて行う。渦電流による磁界の乱れは、磁場中を通過するスピード増加に伴って増大する。従って、磁気ディスク３０１の素材がアルミニウムのように導体の場合は、磁気ディスク３０１が消去可能領域Ｂを通過する際のスピードを、ガラス基板のように非導体の場合よりも遅くする。これにより、渦電流による磁界の乱れを低減することができる。結果、磁気ディスク３０１上に記録されたデータの不完全な消去を防止することができる。
【００６０】
他方、磁気ディスク３０１の素材がガラス基板等の非導体である場合は、磁場中の通過に伴う渦電流の発生を考慮する必要はない。従って、磁気ディスク３０１が消去可能領域Ｂを通過する際のスピードをスループットの点から導体よりも速くする。尚、この場合においても、消去可能領域Ｂを通過することにより、磁気ディスク３０１に記憶されたデータが消去されるようなスピードで通過させる必要がある。
【００６１】
図５、図６を参照して、磁気ディスク３０１の素材の違いに伴う、ＨＤＤ３００の移動スピードについて詳細に説明する。磁気ディスク３０１の移動スピードについて考慮すべき工程は、磁気ディスク３０１が消去可能領域Ｂを通過する工程である。従って、図５（ａ）、図５（ｃ）、図６（ａ）及び図６（ｂ）の工程におけるＨＤＤ３００の移動スピードを制御すれば良い。つまり、磁気ディスク３０１が消去可能領域Ｂを通過する際に、磁気回路１０１に対するＨＤＤ固定部１０４の相対的スピードを変化させることにより、目的を達成することができる。
【００６２】
磁気ディスク３０１の素材がガラス等の非金属の場合、渦電流の発生を考慮する必要はない。従って、磁気回路１０１に対するＨＤＤ固定部１０４の相対的スピードは、消去可能領域Ｂを通過することにより、磁気ディスク３０１のデータが消去されるスピードであれば良い。例えば１００ｍｍ／ｓ以上２００ｍｍ／ｓ以下であり、更に好適には１５０ｍｍ／ｓで駆動する。尚、図５（ｂ）、（ｄ）の工程においても、同様のスピードで駆動することができる。
【００６３】
他方、磁気ディスク３０１の素材が金属の場合、渦電流による影響を低減するために、磁気回路１０１に対するＨＤＤ固定部１０４の相対的スピードを制限する。磁気ディスク３０１の素材としては、アルミ基板等がある。このスピードは、消去可能領域Ｂにおけるデータ消去用磁界において渦電流による磁界の乱れが発生しても、磁気ディスク３０１に記憶されたデータが確実に消去されるようなスピードである。ＨＤＤ固定部１０４が磁界生成空間１０２を通過するスピードは、磁気ディスク３０１の移動によって発生する渦電流が上記の所定の強度以下となるスピードであり、例えば２５ｍｍ／ｓ以上７５ｍｍ／ｓ以下であり更に好適には５０ｍｍ／ｓである。
【００６４】
尚、磁気ディスク３０１の移動スピードを遅くする程、渦電流の発生が抑制されるので、磁気ディスク３０１の記録データの消去を確実に行うことができるが、その分データの消去に時間がかかる。そのため、単位時間にデータ消去装置１が処理可能なＨＤＤ３００の台数が減り、装置のスループプットの悪化につながる。従って、磁気回路１０１に対してＨＤＤ固定部１０４を移動させる相対的なスピードは、発生する渦電流による磁界の乱れによって、ＨＤＤ３００のデータの不完全な消去が発生しない限度で且つ速いスピードであることが好ましい。なお、上述の手法を、導体の筐体を備えるＨＤＤ３００と非導体筐体を備えるＨＤＤ３００との間において適用することも可能である。
【００６５】
次に、ＨＤＤ３００に用いられる筐体の素材の違いに伴う、データ消去装置１の駆動条件の変化について説明する。ＨＤＤ３００の筐体が強磁性体か否かによって、磁気ディスク３０１に加わる磁界が大きく変化する。具体的には、ＨＤＤ３００のベース及びトップ・カバー等の筐体が強磁性体の場合、磁性体が磁界を妨げるシールド作用によりデータ消去用磁界が筐体に遮られ、内部の磁気ディスク３０１に作用する磁力が弱くなる。即ち、データ消去用磁界の磁力損失が発生する。
【００６６】
この問題を解決するために、強磁性体の筐体を有するＨＤＤのデータを消去する場合、磁気ディスク３０１に対するするデータ消去用磁界の作用効率を向上する必要がある。ここで、磁気ディスク３０１に磁界を作用させ、磁性層の磁化配列を揃える際、磁気ディスクの記録磁化に平行な方向に磁界を加えるよりも、それに対して傾いた斜めの磁界を加えた方が、磁性層に対する磁界の作用効率が高い。
【００６７】
従って、ＨＤＤ３００の筐体が強磁性体の場合は、これに伴うデータ消去用磁界の磁力損失を考慮し、ＨＤＤ固定部１０４を駆動してＨＤＤ３００に磁界生成空間１０２を通過させる際、ＨＤＤ３００を傾けて通過させる。これにより、磁気ディスク３０１に対するデータ消去用磁界の作用効率が向上し、ＨＤＤ３００の筐体が強磁性体であっても、磁気ディスク３０１に記憶されたデータを確実に消去することができる。
【００６８】
図７（ａ）は、ＨＤＤ３００を傾けた状態で磁界生成空間１０２に挿入する態様を示す斜視図であり、図７（ｂ）は同様の正面図である。ＨＤＤ３００の筐体が強磁性体である場合、図７（ａ）に示すように、ＨＤＤ３００を傾けた状態で、磁界生成空間１０２に挿入する。そして、図５、図６で説明したように磁気ディスク３０１の全面が消去可能領域Ｂを通過するように、Ｘ軸可動部１０５及びＹ軸可動部１０６を駆動する。
【００６９】
詳述すると、連結部１０９が磁界生成空間１０２に露出する面に垂直な線を軸に、ＨＤＤ３００を回転させる。即ちＹ軸を軸にＨＤＤ３００を回転させる。そして、消去可能領域Ｂにおける磁界の向き対してＨＤＤ３００に含まれる磁気ディスク３０１の面を傾ける。即ち、Ｘ軸方向に対してＨＤＤ３００を傾ける。この時、磁気ディスク３０１の直径を示す線であって、Ｘ軸と平行な線と、消去可能領域Ｂにおける磁界の向きとの成す角度（図７（ｂ）中の角度Ｃ）は、３０°以上６０°以下であり、更に好ましくは４５°である。換言すると、磁気ディスク３０１の面と、上部筐体１０７又は下部筐体１０８と磁界生成空間１０２とが対向する面との成す角度が角度Ｃである。
【００７０】
ＨＤＤ３００に傾きをもたせるに当たっては、ＨＤＤ固定部１０４の有する機能を用いる。上述した通り、ＨＤＤ固定部１０４は自身に固定されたＨＤＤ３００をＸ軸方向に傾ける機能を有している。当該機能により、ＨＤＤ３００を図７に示すように傾けることができる。
【００７１】
データ消去対象であるＨＤＤ３００の筐体が強磁性体である旨の情報をコントローラ１０３が受信すると、コントローラ１０３はＨＤＤ固定部１０４を駆動し、ＨＤＤ固定部１０４に固定されたＨＤＤ３００が上記したような傾きを有するように制御する。当該制御は、ＨＤＤ固定部１０４の固定板を回転させることにより行なっても良いし、ＨＤＤ固定部１０４が固定板に対してＨＤＤ３００を傾けるような機能を有しても良い。
【００７２】
次に図８に示すフローチャートを用いて、本実施形態に係るデータ消去装置１の全体の動作を説明する。まず、データ消去装置１の電源をＯＮし、装置を初期化する（Ｓ８０１）。次に、コントローラ１０３に、データ消去対象であるＨＤＤ３００のサイズ、筐体及び磁気ディスク３０１の素材等、ＨＤＤ３００に関する情報が入力される（Ｓ８０２）。コントローラ１０３は、入力された情報に基づきＸ軸可動部１０５、Ｙ軸可動部１０６及びＨＤＤ固定部１０４の制御方法を決定する（Ｓ８０３）。そして、上記において決定された制御方法に基づき、Ｘ軸可動部１０５、Ｙ軸可動部１０６を駆動する（Ｓ８０４）。
【００７３】
１つのＨＤＤ３００のデータ消去が終了すると、データ消去すべき同種のＨＤＤ３００（上記において指定した条件と同条件でデータ消去を行うＨＤＤ３００）があるか否か判断される（Ｓ８０５）。当該判断はコントローラ１０３が自動で行っても良いし、オペレータがコントローラ１０３に入力した情報に基づいて、コントローラ１０３が行っても良い。消去すべき同種のＨＤＤ３００がまだある場合、再度同条件のままＨＤＤ３００のデータ消去を行う（Ｓ８０４）。
【００７４】
消去すべき同種のＨＤＤ３００がもう無い場合は、続いてデータ消去すべき他種のＨＤＤ３００（再度条件を設定してデータ消去を行うＨＤＤ３００）があるか否か判断する（Ｓ８０６）。当該判断はコントローラ１０３が自動で行っても良いし、オペレータがコントローラ１０３に入力した情報に基づいて、コントローラ１０３が行っても良い。データ消去すべき他種のＨＤＤ３００がある場合は、再度コントローラ１０３に消去対象であるＨＤＤ３００に関する情報が入力される（Ｓ８０２）。データ消去すべき他種のＨＤＤ３００がもう無い場合は、装置の電源がＯＦＦされ（Ｓ８０７）、処理を終了する。
【００７５】
この様に、本実施形態に係るデータ消去装置１は、データ消去対象であるＨＤＤ３００のサイズ、筐体の素材及び含まれる磁気ディスク３０１の素材に応じて、磁界生成空間１０２での駆動の態様を変化させるものである。これにより、データ消去対象であるＨＤＤ３００に対して最適な条件でデータの消去を実施することができる。これにより、効率的で確実なＨＤＤのデータ消去を行うことができる。
【００７６】
尚、図７において説明したＨＤＤ３００を消去可能領域Ｂにおけるデータ消去用磁界の向きに対して傾ける方法は、ＨＤＤ固定部１０４の機能によるものには限られない。例えば、図９に示すように、データ消去対象であるＨＤＤ３００を傾けて固定する傾斜台３０２を用いても良い。傾斜台３０２はＨＤＤ３００と同様にＨＤＤ固定部１０４上に固定可能である。傾斜台３０２はＨＤＤ３００を傾いた状態で載置するための傾斜部３０３を有する。
【００７７】
傾斜部３０３にＨＤＤ３００を載置し、上部カバー３０４によってＨＤＤ３００が固定されるように、傾斜台３０２をＨＤＤ固定部１０４上に固定する。これにより、ＨＤＤ３００を傾いた状態で固定することができる。この様な傾斜台３０２を用いることにより、ＨＤＤ３００をＨＤＤ固定部１０４に固定する際にオペレータが直接ＨＤＤ３００の傾きを設定することとなるため、ＨＤＤ固定部１０４を駆動する必要がなくなる。
【００７８】
また、上記の説明においては、ＨＤＤ固定部１０４を移動させる経路、ＨＤＤ固定部１０４を移動させるスピード、ＨＤＤ固定部１０４上に固定されたＨＤＤ３００の傾きについて条件を変える例を説明したが、この他にも、データ消去装置１を駆動する際の駆動条件であれば、上記の説明と同様に適用可能である。例えば、磁気ディスク３０１に消去可能領域Ｂを通過させる回数が挙げられる。
【００７９】
磁気ディスク３０１の素材が金属である場合や、ＨＤＤ３００の筐体の素材が強磁性体である場合等、データ消去用磁界の磁力損失が考えられる場合、磁気ディスク３０１に消去可能領域Ｂを複数回に亘って通過させることにより、より確実に磁気ディスク３０１に記憶された情報を消去することができる。
【００８０】
上述の例においては、ＨＤＤ３００のサイズ、筐体の素材及び含まれる磁気ディスクの素材のそれぞれに基づいて、磁界生成空間１０２中におけるＨＤＤ固定部１０４の移動方法を決定した。ここで、流通しているＨＤＤのサイズ、筐体の素材及び磁気ディスクの素材はそれぞれのＨＤＤの種類によっておおよそ決まっている。従って、予め、コントローラ１０３にＨＤＤの種類に応じたＸ軸可動部１０５、Ｙ軸可動部１０６及びＨＤＤ固定部１０４の駆動方法を記憶しておけば、個別にＨＤＤの各部の構成を指定せずとも、データ消去対象であるＨＤＤの種類を指定するだけでＨＤＤのデータ消去を開始することができる。
【００８１】
ここで、コントローラ１０３に記憶されるＨＤＤの種類とは、例えばＨＤＤのサイズ、型式、インターフェースの種類等が考えられる。即ち、ＨＤＤのサイズ、型式、インターフェースの種類によって、流通しているＨＤＤのサイズ、筐体の素材及び含まれる磁気ディスク３０１の素材が絞り込まれ、データ消去に際して好適なＨＤＤ１０４の移動条件が決定される。
【００８２】
また、ＨＤＤのサイズ、型式、インターフェースの種類等によらず、予めＸ軸可動部１０５、Ｙ軸可動部１０６の駆動経路、駆動スピード、及びＨＤＤ固定部１０４に固定されるＨＤＤ３００の傾きの設定の組を、プリセット条件として複数種類コントローラ１０３に記憶させておくこともできる。予め記憶されたプリセット条件の中から適したプリセット条件を選択するだけで、ＨＤＤ３００のデータ消去を実施することができる。
【００８３】
以上、本発明を好ましい実施形態を例として説明したが、本発明が上記の実施形態に限定されるものではない。当業者であれば、上記の実施形態の各要素を、本発明の範囲において容易に変更、追加、変換することが可能である。例えば、上述は、水平磁気記録の磁気ディスクを例として説明しているが、本発明を垂直磁気記録の磁気ディスクに適用することができる。
【図面の簡単な説明】
【００８４】
【図１】データ消去装置の外観を示す斜視図である。
【図２】データ消去装置の機能部を示す斜視図である。
【図３】磁気回路の構成を示す斜視図である。
【図４】磁気回路にＨＤＤ固定部及びＨＤＤを挿入した状態を示す斜視図である。
【図５】磁気回路とＨＤＤとの相対的な移動の態様を示す上面図である。
【図６】磁気回路とＨＤＤとの相対的な移動の態様を示す上面図である。
【図７】ＨＤＤを傾けた状態で磁気回路に挿入する態様を示す斜視図及び正面図である。
【図８】ＨＤＤのデータ消去の流れを示すフローチャートである。
【図９】ＨＤＤを傾けて保持する際の他の態様を示す斜視図である。
【符号の説明】
【００８５】
１  データ消去装置、１００  機能部、１０１  磁気回路、１０２  磁界生成空間
１０３  コントローラ、１０４  ＨＤＤ固定部、１０５  Ｘ軸可動部
１０６  Ｙ軸可動部、１０７  上部筐体、１０８  下部筐体、１０９  連結部
１１０ａ−１１０ｄ  永久磁石、２００  フレーム、３００  磁気ディスク装置
３０１  磁気ディスク、３０２  傾斜台、３０３  傾斜部、３０４  上部カバー
【図１】
2007026535.tif 000003
【図２】
2007026535.tif 000004
【図３】
2007026535.tif 000005
【図４】
2007026535.tif 000006
【図５】
2007026535.tif 000007
【図６】
2007026535.tif 000008
【図７】
2007026535.tif 000009
【図８】
2007026535.tif 000010
【図９】
2007026535.tif 000011